(57)【特許請求の範囲】
【請求項１】
縦の側板を複数枚平行に配置すると共に隣り合う側板の間に棚板を取り付けて形成される棚において、側面片と側面片の一端に直角に延設される端面片とから水平断面略Ｌ字形の半側板を形成し、一対の半側板を、各側面片の端面片を突出させた側の面同士を当接させると共に一方の半側板の端面片の背面に他方の半側板の側面片の端面片を設けていない側の端部の端面を当接させた状態で、重ね合わせて接合することによって側板を形成するようにして成ることを特徴とする棚。
【請求項２】
室内の天井下面に上枠板を取り付けると共に上枠板の下面に所定間隔で取付板を取り付け、隣り合う取付板の間に側板の上端部を配置し、隣り合う側板の上端部の間に幕板を配設して、幕板を取付板の端面に固定すると共に隣り合う側板間に取り付けられた天板に幕板を固定して成ることを特徴とする請求項１に記載の棚。
【請求項３】
端面片が外方へ突出する向きで平行に配設した一対の半側板の間に棚板を取り付けて棚ユニットを形成し、棚ユニットを複数配置して、隣り合う棚ユニットの対向する半側板を重ね合わせて結合して成ることを特徴とする請求項１又は２に記載の棚。
【請求項４】
側面片の端面片を突出させた側と反対側の外面から、端面片の外面、端面片の突出端面にかけて、半側板の表面に化粧面を形成して成ることを特徴とする請求項１乃至３のいずれかに記載の棚。
【請求項５】
半側板の端面片の背面部に凹段部を形成して成ることを特徴とする請求項１乃至４のいずれかに記載の棚。
【請求項６】
半側板に化粧シートを貼着して化粧面を形成し、半側板の側面片の外面において化粧シートの端縁同士が所定間隔を隔てて対向するように化粧シートを貼着して、この化粧シートの対向する端縁間の隙間を係止溝として形成し、隣り合う側板においてこの係止溝を対向させると共に仕切り板の端縁を係止溝に挿入係止して仕切り板を側板間に取り付けて成ることを特徴とする請求項４又は５に記載の棚。
【発明の詳細な説明】
【０００１】
【発明の属する技術分野】
本発明は、室内において飾り棚として設置される棚に関するものである。
【０００２】
【従来の技術】
室内において飾り棚として設置される棚として、前後の両面を開口させて、前後の両面から棚内に物を出し入れしたり、棚内の棚板の上に置いた置物が前後の両面から見えるようにしたものがある。
【０００３】
図１４はその一例を水平断面図として示したものであり、複数枚の平行に配置される側板１間に棚板２を取り付けて棚を形成するようにしてある。そしてこのものでは、側板１を半分に切断した形態の一対の半側板５間に棚板２を取り付けて棚ユニット１０を形成し、棚ユニット１０を複数配置すると共に隣り合う棚ユニット１０の半側板５の外面同士を重ね合わせて接合することによって、二枚の半側板５から側板１を形成すると共に棚を組み立てることができるようにしてある。各半側板５にはその内側の面から前後の両端面に至るように化粧シートなどを貼って化粧面１１が形成してあり、一対の半側板５を接合した側板１は四周の全面が化粧面１１となるようにしてある。
【０００４】
【発明が解決しようとする課題】
しかしこのように一対の半側板５を接合して形成される側板１にあって、一対の半側板５の接合目地の線Ｌが側板１の前後の端面に表われることになるが、側板１の前後の端面は棚において正面に露出する面であり、この接合目地の線Ｌが目立って棚の外観が損なわれるという問題があった。
【０００５】
本発明は上記の点に鑑みてなされたものであり、接合目地の線が側板に目立って表われることを防ぐことができ、外観を良好なものとして形成することができる棚を提供することを目的とするものである。
【０００６】
【課題を解決するための手段】
本発明に係る棚は、縦の側板１を複数枚平行に配置すると共に隣り合う側板１の間に棚板２を取り付けて形成される棚において、側面片３と側面片３の一端に直角に延設される端面片４とから水平断面略Ｌ字形の半側板５を形成し、一対の半側板５を、各側面片３の端面片４を突出させた側の面同士を当接させると共に一方の半側板５の端面片４の背面に他方の半側板５の側面片３の端面片４を設けていない側の端部の端面を当接させた状態で、重ね合わせて接合することによって側板１を形成するようにして成ることを特徴とするものである。
【０００７】
また請求項２の発明は、請求項１において、室内の天井下面に上枠板６を取り付けると共に上枠板６の下面に所定間隔で取付板７を取り付け、隣り合う取付板７の間に側板１の上端部を配置し、隣り合う側板１の上端部の間に幕板８を配設して、幕板８を取付板７の端面に固定すると共に隣り合う側板１間に取り付けられた天板９に幕板８を固定して成ることを特徴とするものである。
【０００８】
また請求項３の発明は、請求項１又は２において、端面片４が外方へ突出する向きで平行に配設した一対の半側板５の間に棚板２を取り付けて棚ユニット１０を形成し、棚ユニット１０を複数配置して、隣り合う棚ユニット１０の対向する半側板５を重ね合わせて結合して成ることを特徴とするものである。
【０００９】
また請求項４の発明は、請求項１乃至３のいずれかにおいて、側面片３の端面片４を突出させた側と反対側の外面から、端面片４の外面、端面片４の突出端面にかけて、半側板５の表面に化粧面１１を形成して成ることを特徴とするものである。
【００１０】
また請求項５の発明は、請求項１乃至４のいずれかにおいて、半側板５の端面片４の背面部に凹段部４０を形成して成ることを特徴とするものである。
【００１１】
また請求項６の発明は、請求項４又は５において、半側板５に化粧シート４１を貼着して化粧面１１を形成し、半側板５の側面片３の外面において化粧シート４１の端縁同士が所定間隔を隔てて対向するように化粧シート４１を貼着して、この化粧シート４１の対向する端縁間の隙間を係止溝４２として形成し、隣り合う側板１においてこの係止溝４２を対向させると共に仕切り板４３の端縁を係止溝４２に挿入係止して仕切り板４３を側板１間に取り付けて成ることを特徴とするものである。
【００１２】
【発明の実施の形態】
以下、本発明の実施の形態を説明する。
【００１３】
半側板５は、側面片３と、側面片３の一端の外面に直角に突出させて延設される端面片４とから、合板などで水平断面略Ｌ字形に形成されるものである。この端面片４の突出寸法は側面片３の厚み寸法と等しく設定してある。また各半側板５の表面には、側面片３の端面片４を突設していない側の面から、端面片４の外面、端面片４の突出する端面にかけて、突き板などの化粧シート４１が貼り付けてあり、半側板５のこの化粧シート４１を貼った各表面を化粧面１１として形成してある。半側板５の化粧面１１以外の面は、合板などの基材が剥き出しになっている。
【００１４】
そして一対の半側板５を端面片４が外方へ突出する向きにして平行に配置し、この両半側板５の対向する内面間に上下複数個所において棚板２を取り付けることによって、図１に示すように前後の両面が開放された棚ユニット１０を形成するようにしてある。この一対の半側板５はそれぞれの端面片４が棚ユニット１０の前部側あるいは後部側のいずれか一方に位置するように配置してある。
【００１５】
上記のように形成される棚ユニット１０にあって、その上端部には上端からやや下方位置において対向する半側板５間に天板９が取り付けてあり、天板９の上面に受け板１６が固定してある。受け板１６の前後方向の幅寸法は天板９よりも小さく形成してあり、受け板１６の前後の端面が天板９の前後の端縁よりも内方に位置するようにしてある。また棚ユニット１０の下端部には、その下端からやや上方位置において対向する半側板５間に地板１７が取り付けてあり、地板１７の下面に受け板１８が固定してある。受け板１８の前後方向の幅寸法は地板１７よりも小さく形成してあり、受け板１８の前後の端面が地板１７の前後の端縁よりも内方に位置するようにしてある。さらにこの地板１７の下側において対向する半側板５の下端間には、固定用板１９が取り付けてある。この固定用板１９は前後方向の幅寸法を受け板１８と同一に形成してある。また、上記の天板９より上側と、地板１７より下側において、半側板５の側面片４には連結用孔２０が穿設してある。
【００１６】
一方、棚を設置する室内において、その天井２２の下面には上枠板６が取り付けてある。上板枠６は矩形に形成されるものであり、その下面に取付板７が所定間隔で複数枚取り付けてある。上枠板６はその前後方向の幅寸法を上記の天板９と同寸法に形成してあり、取付板７はその前後方向の幅寸法を上記の天板９の受け板１６と同寸法に形成してある。また取付板７の横方向の幅寸法を棚ユニット１０の対向する半側板５の内面間の間隔とほぼ同一に形成してあり、隣り合う取付板７間の間隔寸法は、２枚の半側板５を接合した側板１の厚み寸法とほぼ同一に形成してある。上枠板６は取付板７から上枠板６の固定用孔２５に釘やビス等の固着具２４を通して天井２２に打入することによって、天井２２に取り付けられるものである。
【００１７】
しかして、室内に棚を組み立てて設置するにあたっては、複数の棚ユニット１０を配置して、隣り合う棚ユニット１０の半側板５同士を接合する。すなわち、隣り合う棚ユニット１０をその半側板５の突出する端面片４が前後方向で逆に位置するように配置し、各棚ユニット１０の対向する一対の半側板５を、側面片３の外面同士を当接させると共に、一方の半側板５の端面片４の背面に他方の半側板５の側面片３の端面片４を設けていない側の端部の端面を相互に当接させ、この状態で図３のように重ね合わせる。そしてこの各半側板５に設けた連結用孔２０にビスやボルトを通して連結することによって、各半側板５を接合して側板１を形成すると共に各棚ユニット１０を連結する。
【００１８】
このように一対の半側板５を接合して側板１を形成するにあたって、一方の半側板５の側面片３の端面は他方の半側板５の端面片４の裏側に当接し、側面片３の表面と端面片４の突出端面は面一になる。従って、一対の半側板５の接合目地の線Ｌは図３に示すように側板１の左右の側面に表われることになるが、側板１の左右の側面は棚の正面に露出するものではないので、この接合目地の線Ｌは目立つことがなく、棚の外観を損なうようなおそれはない。
【００１９】
次にこの連結した棚ユニット１０を図２のように天井２２に設けた上枠板６と床２３の間に配置し、一対の半側板５を接合して形成される側板１の上端部を上枠板６の下面において隣り合う取付板７間に差し込む。このとき、取付板７は隣り合う側板１間に位置している。そして隣り合う側板１間に渡るように、各棚ユニット１０の上端部の前部と後部にそれぞれ幕板８を配置し、各幕板８を上枠板６と天板９の間にはめ込むと共に各幕板８の上端と下端を取付板７と受け板１６の前後の各端面に当接し、幕板８から取付板７や受け板１６に釘やビス等の固着具２４を打入することによって、天板９を受け板１６、幕板８、取付板７を介して上枠板６に固定することができ、各棚ユニット１０の上端を図４のように天井２２に固定することができるものである。
【００２０】
また棚ユニット１０の下端部は、固定用板１９の固定用孔２６を通した固着具２４を床２３に打入することによって、固定用板１９を介して床２３に固定することができる。このように固定用板１９を固着具２４で床２３に固定した後、隣り合う側板１間に渡るように、各棚ユニット１０の下端部の前部と後部にそれぞれ下幕板２８を配置し、各下幕板２８を地板１７と床２３の間にはめ込むと共に各下幕板２８の上端と下端を受け板１８と固定用板１９の前後の各端面に当接し、下幕板２８から受け板１８や固定用板１９に固着具２４を打入することによって、図４のように棚ユニット１０の下端部の前後にそれぞれ下幕板２８を取りつける。
【００２１】
このようにして、棚を組み立てて天井２２と床２３にそれぞれ上下端を固定した状態で室内に棚を設置することができるものである。ここで、棚ユニット１０のうち、端部に位置する棚ユニット１０の端の側の半側板５は、接合される棚ユニット１０がないので、棚板２を取りつけていない半側板５ａを用い、図５のように半側板５にこの半側板５ａを接合することによって、端部側板１ａを形成するようにしてある。また袖壁などの室内の壁２９に棚の端部を接続する場合には、図５に示すように、上記のような半側板５ａを用いることなく、半側板５の外面を壁２９に当接させて直接接続するようにすることができる。
【００２２】
図６（ａ）〜（ｃ）はそれぞれ取付金具３０を示すものであり、図６（ａ）のものは縦の固定片３１の上端と下端の中央部にそれぞれ半円舌片状の押え片３２，３３を延設して側面視コ字形に取付金具３０を形成してある。図６（ｂ）のものは縦の固定片３１の上下端にそれぞれフランジ片３４を延出すると共に、上下の各フランジ片３４の中央部に半円舌片状の押え片３２，３３を延設して側面視コ字形に取付金具３０を形成してある。図６（ｃ）のものは縦の固定片３１の上端と下端に幅全長に亘って押え片３２，３３を延設して側面視コ字形に取付金具３０を形成してある。図６（ａ）〜（ｃ）のいずれの取付金具３０においても、固定片３１及び押え片３２，３３のうち一方の押え片３３に固定孔３５が設けてあり、押え片３２，３３のうち他方の押え片３２には固定孔３５は設けられていない。
【００２３】
上記のように形成される取付金具３０を用いて、例えば棚の側板１（半側板５）に棚板２の側端部を取り付けることができる。すなわち、固定片３１の固定孔３５を通して固着具２４を側板１に打入することによって、図７（ａ）のように取付金具３０を側板１に固定し、そして上下の押え片３２，３３間に棚板２の側端部を差し込むと共に押え片３３の固定孔３５を通して固着具２４を打入することによって、図７（ｂ）のように押え片３２で棚板２の表面を押さえた状態で、取付金具３０で棚板２の側端部を側板１に取り付けることができるものである。また棚の背面が室内の壁面に沿うように配置される場合には、間柱などの壁構造材３６に棚板２の後端部を取り付けることができる。すなわち、固定片３１の固定孔３５を通して固着具２４を壁構造材３６に打入することによって、図７（ａ）のように取付金具３０を壁構造材３６に固定し、そして上下の押え片３２，３３間に棚板２の後端部を差し込むと共に押え片３３の固定孔３５を通して固着具２４を打入することによって、押え片３２で棚板２の表面を押さえた状態で、図７（ｂ）のように取付金具３０で棚板２の後端部を壁構造材３６に取り付けることができるものである。
【００２４】
ここで、押え片３２，３３のうち、押え片３２には固定孔３５を設けていず固着具２４が打入されないので、人の目線より下方に配置される棚板２の場合には、押え片３２が上になるように取付金具３０を用いると、目に入るのは棚板２の上側の押え片３２だけになって、押え片３３に打入した固着具２４は棚板２の影になって見えないようにすることができるものであり、また人の目線より上方に配置される棚板２の場合には、押え片３２が下になるように取付金具３０を用いると、目に入るのは棚板２の下側の押え片３２だけになって、押え片３３に打入した固着具２４は棚板２の影になって見えないようにすることができるものであり、固着具２４で棚の外観を損ねることを防ぐことができるものである。
【００２５】
さらに、上記のように形成される取付金具３０を用いて、間柱などの壁構造材３６に側板１の後端部を取り付けることができる。すなわち、固定片３１の固定孔３５を通して固着具２４を壁構造材３６に打入することによって、取付金具３０を縦配置で壁構造材３６に固定し、そして左右の押え片３２，３３間に側板１の後端部を差し込むと共に押え片３３の固定孔３５を通して固着具２４を打入することによって、押え片３２で側板１の表面を押さえた状態で、図７（ａ）のように取付金具３０で側板１の後端部を壁構造材３６に取り付けることができるものである。この場合も、側板１の両面のうち人の目に付き易い面の側に押え片３２がくるように取付金具３０を用いると、目に付き易いのは押え片３２だけになって、押え片３３に打入した固着具２４は側板１の影になって見えないようにすることができるものであり、固着具２４で棚の外観を損ねることを防ぐことができるものである。
【００２６】
ここで、上記の図３の実施の形態では、一対の半側板５を接合して側板１を形成するにあたって、一対の半側板５の接合目地の線Ｌが目立たない側板１の側面に表われるようにすることによって、棚の外観が損なわれないようにしている。しかし、一対の各半側板５の寸法誤差等によって、図９（ｂ）に示すように、一方の半側板５の端面片４と他方の半側板５の側面片３との間に段差Ｂが生じていると、この段差Ｂによって一対の半側板５の接合目地の線Ｌが目立ってしまうおそれがある。
【００２７】
そこで図８に示す実施の形態では、図８（ａ）に示すように、半側板５の端面片４の背面側の端縁部に断面Ｌ字状の凹段部４０を、半側板５の全長に亘って形成するようにしてある。このように半側板５の端面片４の背面側の端縁部に凹段部４０を設けておくと、一対の半側板５の側面片３の外面同士を当接させると共に、一方の半側板５の端面片４の背面に他方の半側板５の側面片３の端面片４を設けていない側の端部の端面を相互に当接させるようにして、一対の半側板５を接合して側板１を形成するにあたって、図８（ｂ）に示すように、一方の半側板５の端面片４と他方の半側板５の側面片３との間に凹段部４０によって溝４５が形成されることになる。そしてこのように溝４５が形成されていると、一方の半側板５の端面片４と他方の半側板５の側面片３との間に段差Ｂが生じていても図９（ａ）のように、この段差Ｂが目立つことがなくなり、段差Ｂによって一対の半側板５の接合目地の線Ｌが目立ってしまうことを防ぐことができるものである。図８の実施の形態では、半側板５に凹段部４０以外に、凹段部４０と対応する位置において側面片３の外面に断面コ字形の凹溝４６が凹設してあり、凹段部４０によって形成される溝４５とこの凹溝４６がそれぞれ側板１の両サイドに設けられることによって、側板１の意匠性を高めることができるようにしてある。
【００２８】
図１０は本発明の実施の形態の他の一例における半側板５及び側板１を示すものであり、側面片３の端面片４を突設していない側の面から、端面片４の外面、端面片４の突出する端面にかけて、化粧シート４１を貼り付けることによって、半側板５の表面に化粧面１１を形成するにあたって、化粧シート４１の端縁同士が側面片３の外面で所定間隔を隔てて対向するように、２枚の化粧シート４１を貼着するようにしてある。このように化粧シート４１の対向する端縁間の隙間を側面片３の外面に形成することによって、図１０（ａ）に示すように、この隙間で側面片３の外面に係止溝４２を形成することができるものであり、一対の半側板５を接合して構成される側板１の両面に縦方向の係止溝４２を図１０（ｂ）のように形成することができるものである。
【００２９】
そして隣り合って配置される側板１において、それぞれ係止溝４２が対向するようにしてあり、図１１（ａ）のように仕切り板４３の両側端を各係止溝４２に挿入係止することによって、仕切り板４３を側板１間において上下の棚板２の間に取り付けることができるものである。ここで、棚板２の上面や下面にも上記と同様にして係止溝４７が形成してあり、図１１（ｂ）のように仕切り板４３の上下の端縁をこの係止溝４７に挿入係止するようにしてある。仕切り板４３は図１２に示すように、棚板２上の収納物の落下防止用の背板として、あるいは目隠しや、意匠性向上などのために用いられるものであるが、この仕切り板４３を取り付けるための側板１の係止溝４２は、側板１を構成する半側板５の表面を化粧する化粧シート４１を利用して形成することができるものであり、半側板５に溝彫り加工などを行なうような必要がなくなって、加工工数を低減することができるものである。
【００３０】
ここで、半側板５に貼着する化粧シート４１としては、係止溝４２を形成するために所定の厚みを有する必要があるので、図１３（ａ）に示すように、化粧シート４１にＶカット溝４８を設け、このＶカット溝４８で化粧シート４１を折り曲げて半側板５に化粧シート４１を貼り付けるようにしてある。また、係止溝４２は側板１の前後方向の中央部に形成する他、図１３（ｂ）のように側板１の前後方向の端部寄りに係止溝４２を形成するようにしてもよい。
【００３１】
【発明の効果】
上記のように本発明は、縦の側板を複数枚平行に配置すると共に隣り合う側板の間に棚板を取り付けて形成される棚において、側面片と側面片の一端に直角に延設される端面片とから水平断面略Ｌ字形の半側板を形成し、一対の半側板を、各側面片の端面片を突出させた側の面同士を当接させると共に一方の半側板の端面片の背面に他方の半側板の側面片の端面片を設けていない側の端部を当接させた状態で、重ね合わせて接合することによって側板を形成するようにしたので、一対の半側板を接合して側板を形成するにあたって、両半側板の接合目地の線は棚の正面に位置しない側板の左右の側面に表われることになり、接合目地の線が側板に目立って表われることを防ぐことができ、外観を良好なものとして形成することができるものである。
【００３２】
また請求項２の発明は、室内の天井下面に上枠板を取り付けると共に上枠板の下面に所定間隔で取付板を取り付け、隣り合う取付板の間に側板の上端部を配置し、隣り合う側板の上端部の間に幕板を配設して、幕板を取付板の端面に固定すると共に隣り合う側板間に取り付けられた天板に幕板を固定するようにしたので、幕板で棚の上端部の仕舞いを行なうことができると共に、幕板を利用して棚の上端部を天井に固定することができるものである。
【００３３】
また請求項３の発明は、端面片が外方へ突出する向きで平行に配設した一対の半側板の間に棚板を取り付けて棚ユニットを形成し、棚ユニットを複数配置して、隣り合う棚ユニットの対向する半側板を重ね合わせて結合するようにしたので、棚ユニットを接合することによって棚を組み立てることができ、棚の組み立てを容易に行なうことができるものである。
【００３４】
また請求項４の発明は、側面片の端面片を突出させた側と反対側の外面から、端面片の外面、端面片の突出端面にかけて、半側板の表面に化粧面を形成するようにしたので、一対の半側板を接合して形成される側板の表面に露出する部分だけを化粧処理すれば済み、半側板の製造コストを安価にすることができるものである。
【００３５】
また請求項５の発明は、半側板の端面片の背面部に凹段部を形成するようにしたので、側板を形成するために接合した一対の半側板の端面片と側面片との間に凹段部によって溝が形成されるものであり、この一対の半側板の端面片と側面片との間に段差があっても、溝によってこの段差が目立つことがなくなるものであり、段差によって一対の半側板の接合目地の線が目立つことを防ぐことができるものである。
【００３６】
また請求項６の発明は、半側板に化粧シートを貼着して化粧面を形成し、半側板の側面片の外面において化粧シートの端縁同士が所定間隔を隔てて対向するように化粧シートを貼着して、この化粧シートの対向する端縁間の隙間を係止溝として形成し、隣り合う側板においてこの係止溝を対向させると共に仕切り板の端縁を係止溝に挿入係止して仕切り板を側板間に取り付けるようにしたので、仕切り板を取り付けるための側板の係止溝は、側板を構成する半側板の表面を化粧する化粧シートを利用して形成することができるものであり、半側板に溝彫り加工などを行なうような必要がなくなって、加工工数を低減することができるものである。
【図面の簡単な説明】
【図１】本発明の実施の形態の一例を示す分解斜視図である。
【図２】同上の正面図である。
【図３】同上の水平断面図である。
【図４】同上の縦断面図である。
【図５】同上の一部を省略した水平断面図である。
【図６】同上に用いる取付金具を示すものであり、（ａ），（ｂ），（ｃ）はそれぞれ斜視図である。
【図７】同上の取付金具を用いた棚板の取り付けを示すものであり、（ａ）は分解斜視図、（ｂ）は斜視図である。
【図８】本発明の実施の形態の他の一例を示すものであり、（ａ）は半側板の断面図、（ｂ）は側板の斜視図である。
【図９】（ａ），（ｂ）は同上の側板の一部を拡大した概略平面図である。
【図１０】本発明の実施の形態のさらに他の一例を示すものであり、（ａ）は半側板の断面図、（ｂ）は側板の斜視図である。
【図１１】同上の棚を示すものであり、（ａ）は水平断面図、（ｂ）側面断面図である。
【図１２】同上の棚の斜視図である。
【図１３】同上の実施の形態のさらに他の一例を示すものであり、（ａ）は半側板の分解断面図、（ｂ）は側板の斜視図である。
【図１４】従来の一部を省略した水平断面図である。
【符号の説明】
１  側板
２  棚板
３  側面片
４  端面片
５  半側板
６  上枠板
７  取付板
８  幕板
９  天板
１０  棚ユニット
１１  化粧面
４０  凹段部
４１  化粧シート
４２  係止溝
４３  仕切り板
【図１】
0003659141.tif 000002
【図２】
0003659141.tif 000003
【図３】
0003659141.tif 000004
【図４】
0003659141.tif 000005
【図５】
0003659141.tif 000006
【図６】
0003659141.tif 000007
【図７】
0003659141.tif 000008
【図８】
0003659141.tif 000009
【図９】
0003659141.tif 000010
【図１０】
0003659141.tif 000011
【図１１】
0003659141.tif 000012
【図１２】
0003659141.tif 000013
【図１３】
0003659141.tif 000014
【図１４】
0003659141.tif 000015